(57)【要約】【課題】垂直磁気記録ヘッドを提供する。【解決手段】メインポール及びリターンポールを備え、メインポールを取り囲むコイルを備えるデータ記録部と、磁気遮蔽層及びその間に読み取り用の磁気デバイスを備えるデータ再生部と、を備える垂直磁気記録ヘッドにおいて、メインポールの下端部は、下方に行くほど幅が狭くなり、側面が第１曲率を有する曲面である第１部分と、第１部分の拡張された部分であって、側面が第２曲率を有する曲面である第２部分と、を備える垂直磁気記録ヘッドである。第１及び第２曲率は、等しいかまたは異なり、このようなメインポールの下端部の両側に磁気遮蔽手段がさらに備えられうる。【選択図】図２
2006309927.tif 000002
【特許請求の範囲】
【請求項１】
メインポール及びリターンポールを備え、前記メインポールを取り囲むコイルを備えるデータ記録部と、磁気遮蔽層及びその間に読み取り用の磁気デバイスを備えるデータ再生部と、を備える垂直磁気記録ヘッドにおいて、
前記メインポールの下端部は、下方に行くほど幅が狭くなり、側面が第１曲率を有する曲面である第１部分と、前記第１部分の拡張された部分であって、側面が第２曲率を有する曲面である第２部分と、を備えることを特徴とする垂直磁気記録ヘッド。
【請求項２】
前記メインポールの下端部の両側に磁気遮蔽手段が備えられることを特徴とする請求項１に記載の垂直磁気記録ヘッド。
【請求項３】
前記第１及び第２曲率は、等しいことを特徴とする請求項１に記載の垂直磁気記録ヘッド。
【請求項４】
前記第１及び第２曲率は、異なることを特徴とする請求項１に記載の垂直磁気記録ヘッド。
【請求項５】
前記第２部分の下端の幅は、１００ｎｍ以下であることを特徴とする請求項１に記載の垂直磁気記録ヘッド。
【請求項６】
前記第１及び第２部分は、等しい磁気物質であることを特徴とする請求項１に記載の垂直磁気記録ヘッド。
【請求項７】
前記第１及び第２部分は、相異なる磁気物質であることを特徴とする請求項１に記載の垂直磁気記録ヘッド。
【発明の詳細な説明】
【技術分野】
【０００１】
本発明は、データ記録ヘッドに係り、より詳細には、垂直磁気記録ヘッドに関する。
【背景技術】
【０００２】
インターネット接続が普遍化され、個人あるいは団体の情報共有がインターネット上で自由に行われつつ、利用できる情報の量は急激に増加している。このような現実で、インターネット接続とデータ処理速度が速く、データ保存能力が大きいコンピュータにユーザーの関心が集められることは当然である。
【０００３】
コンピュータのデータ処理速度を増加させるために、ＣＰＵチップとコンピュータ周辺装置の改善が行われており、データ保存能力を向上させるために、多様な形態の記録媒体、例えばハードディスクが紹介されている。
【０００４】
最近、強誘電層をデータ記録層として利用する記録媒体が時々紹介されているが、ほとんどの記録媒体は、依然としてデータ記録層として磁性層を利用する磁気記録媒体である。
【０００５】
磁気記録媒体において、データ記録方式は、水平磁気記録方式と垂直磁気記録方式とに大別される。
【０００６】
前者は、磁気分極が磁性層の表面に平行に整列されうる磁性層を利用してデータを記録する方式であり、後者は、磁気分極が磁性層の表面に垂直に整列されうる磁性層を利用してデータを記録する方式である。
【０００７】
データの記録密度を考慮すれば、前記垂直磁気記録方式は前記水平磁気記録方式よりはるかに有利である。
【０００８】
磁性層にデータを記録する過程は、前記磁性層と磁気ヘッドとの相互作用であると見なす。このため、磁性層にデータを高密度で記録するためには、磁性層だけでなく磁気ヘッドの改善も要求される。
【０００９】
最近の情報技術の発展と共に垂直磁気記録方式についての関心が高くなりつつ、前記垂直磁気記録方式を具現できるいろいろな種類の磁気ヘッドが紹介されている。
【００１０】
現在まで紹介された垂直磁気記録方式を具現する磁気ヘッド(以下、従来の磁気ヘッド）は、基本的に磁性層にデータを記録するためのメインポール及びリターンポールを備え、前記磁性層に記録されたデータを読み取るための磁気抵抗体(ＭＲ)を備える。
【００１１】
前記垂直磁気記録方式を使用しつつ前記磁性層のトラック密度を高める場合、前記磁性体に対するデータ記録密度はさらに高めることができる。磁性層のトラック密度の増加は、トラックピッチの減少を意味する。したがって、前記従来の磁気ポール幅のサイズは、前記トラックピッチの減少に比例して小さくなる。
【００１２】
しかし、前記従来の磁気ヘッドの場合、スキュー角によってトラック方向に相当量の漏れ磁束が発生する。これにより、前記従来の磁気ヘッドを利用して前記磁性体の選択されたトラックにデータを記録する過程で選択されていないトラックにも所望しないデータが記録されてしまう。
【００１３】
一方、電力消耗及び磁気ヘッドの発熱量を減らすために、磁気記録ヘッドのデータ記録に必要な電流は小さいほど良い。
【発明の開示】
【発明が解決しようとする課題】
【００１４】
本発明が解決しようする技術的課題は、前述した従来技術の問題点を改善するためのものであって、データ記録電流を減らし、記録媒体のトラック密度を高めることが可能であり、スキュー効果による磁束漏れを防止するか、磁束漏れを最小化できる垂直磁気記録用磁気ヘッドを提供することである。
【課題を解決するための手段】
【００１５】
前記技術的課題を達成するために、本発明は、メインポール及びリターンポールを備え、前記メインポールを取り囲むコイルを備えるデータ記録部と、磁気遮蔽層及びその間に備えられた読み取り用の磁気デバイスを備えるデータ再生部と、を備える垂直磁気記録ヘッドにおいて、前記メインポールの下端部は、下方に行くほど幅が狭くなり、側面が第１曲率を有する曲面である第１部分と、前記第１部分の拡張された部分であって、側面が第２曲率を有する曲面である第２部分と、を備えることを特徴とする垂直磁気記録ヘッドを提供する。
【００１６】
前記メインポールの下端部の両側に磁気遮蔽手段がさらに備えられうる。
【００１７】
前記第１及び第２曲率は、等しいかまたは異なりうる。
【００１８】
前記第２部分の下端の幅は、１００ｎｍ以下でありうる。
【００１９】
前記第１及び第２部分は、等しいかまたは異なる磁気物質でありうる。
【００２０】
このような本発明の垂直磁気記録ヘッドにおいて、メインポールと記録媒体との間の磁場の強度及び傾きは、従来技術による磁気ヘッドから得られるものより大きい。したがって、本発明の垂直磁気記録ヘッドを利用すれば、データ記録に必要な電流を大きく減らすことができる。そして、スキュー効果による磁束漏れを防止するか、磁束漏れを最小化できる。このような効果によって、記録媒体の選択されたトラックにのみデータを記録でき、選択されていないトラックに所望しないデータが記録される場合にも、その影響を最小化できる。また、線記録密度及びトラック密度を高めることができる。
【発明の効果】
【００２１】
本発明の磁気ヘッドにおいて、メインポールの下端は、下方へ行くほど幅が狭くなり、側面は、所定の曲率を有する曲面からなる第１及び第２部分を備える。これにより、メインポールの下端の第２部分と記録媒体との間で磁場の強度及び傾きは、従来技術による磁気ヘッドから得られるものより大きく増加する。
【００２２】
したがって、本発明の磁気ヘッドを利用すれば、データ記録に必要な電流を大きく減らすことができる。そして、スキュー効果による磁束漏れを防止するか、磁束漏れを最小化できる。これにより、記録媒体の選択されたトラックにのみデータを記録でき、選択されていないトラックに所望しないデータが記録される場合にも、その影響を最小化できる。また、線記録密度及びトラック密度を高めることができる。
【発明を実施するための最良の形態】
【００２３】
以下、本発明の実施形態による垂直磁気記録ヘッド（以下、本発明の磁気ヘッド）を、添付された図面を参照して詳細に説明する。この過程で、図面に示した層や領域の厚さは、明細書の明確性のために誇張して示したものである。
【００２４】
図１は、本発明の磁気ヘッドの核心部分を示す図面である。
【００２５】
図１を参照すれば、本発明の磁気ヘッドは、記録媒体４４にデータを記録するのに使用する記録部１００と、記録媒体４４に記録されたデータを読み取るのに使われる再生部２００と、を備える。
【００２６】
記録部１００は、メインポールＰ１、リターンポールＰ２、補助用ポール４０及びコイルＣを備える。メインポールＰ１、リターンポールＰ２及び補助用ポール４０は、同じ材質、例えばニッケル鉄(ＮｉＦｅ)で形成きるが、成分比を異ならせてそれぞれの飽和磁気モーメントを異なるようにすることが望ましい。例えば、メインポールＰ１の飽和磁気モーメントは、補助用ポール４０の飽和磁気モーメントより大きいことが望ましい。メインポールＰ１及びリターンポールＰ２は、記録媒体４４にデータを記録するのに直接使われる。補助用ポール４０は、データを記録する過程でメインポールＰ１で発生する磁場を、データを記録しようとする記録媒体４４の選択された領域に集める役割を果たす。メインポールＰ１は、所定の幅を有する。メインポールＰ１を中心として一方にリターンポールＰ２が備えられており、他方に補助用ポール４０が備えられている。補助用ポール４０は、メインポールＰ１に付着されている。補助用ポール４０は、メインポールＰ１の下端から上側に所定の深さにリセスされている。すなわち、補助用ポール４０の下端は、メインポールＰ１の下端より上側に位置する。コイルＣは、メインポールＰ１及び補助用ポール４０の周囲を取り囲んでいる。メインポールＰ１及びリターンポールＰ２の下端の間にギャップｇ１が存在する。このギャップｇ１は、メインポールＰ１とリターンポールＰ２の上端まで拡張されているが、メインポールＰ１とリターンポールＰ２との中間部のギャップは、前記下端のギャップよりはるかに広い。メインポールＰ１とリターンポールＰ２との中間部のギャップをコイルＣが通過する。メインポールＰ１とリターンポールＰ２の上端とは連結されている。
【００２７】
本発明の磁気ヘッドの再生部２００は、コイルＣを挟んで記録部１００に接している。再生部２００は、第１及び第２磁気遮蔽層Ｓ１、Ｓ２を備え、第１及び第２磁気遮蔽層Ｓ１、Ｓ２の間に読み取り用のデバイス４２を備える。第１及び第２磁気遮蔽層Ｓ１、Ｓ２は、選択されたトラックの所定位置からデータを読み取る間に、前記所定位置の周囲の磁気的要素から発生する磁場が前記所定位置に到達することを遮断する。読み取り用のデバイス４２は、例えばＧＭＲ（Giant Magneto-Resistive：巨大磁気抵抗）デバイスまたはＴＭＲ（Tunneling Magneto-Resistive：トンネル効果型磁気抵抗）デバイスでありうる。図１において、参照符号５０は、相互連結層を示す。
【００２８】
図２は、本発明の磁気ヘッドのメインポールＰ１の下端が備えられた図１の第１領域Ａ１を拡大した図面であって、本発明の磁気ヘッドが進行する方向に見たものである。以下、本発明の磁気ヘッドが進行する方向に見た図面を正面図という。
【００２９】
図２を参照すれば、記録媒体４４に近いメインポールＰ１の下端部は、構造的に相異なる２部分を備える。
【００３０】
具体的に、メインポールＰ１の下端部は、第１部分Ｈ１及び第１部分Ｈ１の下に位置した第２部分Ｈ２を備える。第１及び第２部分Ｈ１、Ｈ２の構成物質は同一であり、連続している。第１部分Ｈ１は、下方に行くほど幅が狭くなる。メインポールＰ１の下端部を垂直に通る線をＺ軸とした時、Ｚ軸の変位による第１部分Ｈ１の幅の変化は、Ｚ軸の変位の１次関数ではなく２次関数である。したがって、メインポールＰ１の下端の側面は、下方に傾いた平面でなく前記Ｚ軸を中心にして対称をなす曲面である。第１部分Ｈ１の側面は、第１曲率を有する。
【００３１】
メインポールＰ１の下端部における第２部分Ｈ２は、第１部分Ｈ１より短い。第２部分Ｈ２も第１部分Ｈ１と同様に下方に行くほど幅が狭くなり、側面は曲面である。第２部分Ｈ２の側面は、第２曲率を有する。前記第２曲率は、前記第１曲率と等しいか異なりうる。第２部分Ｈ２の下端、すなわち記録媒体と最も近接した部分の幅Ｄは、記録媒体のトラック密度を考慮すれば、できる限り狭いことが望ましいが、例えば１００ｎｍ以下でありうる。
【００３２】
一方、本発明の磁気ヘッドにおいて、図２に示したメインポールＰ１の下端部の両側には、図３に示したように第１及び第２磁気遮蔽手段５０Ａ、５０Ｂが備えられうる。第１及び第２磁気遮蔽手段５０Ａ、５０Ｂと、メインポールＰ１の第２部分Ｈ２の下端との間には、ギャップＧが存在する。第１及び第２磁気遮蔽手段５０Ａ、５０Ｂは、メインポールＰ１の下端で発生した磁場がメインポールＰ１の下に位置した選択されたトラックを外れて選択されていない隣接したトラックに到達することを防止するためのものである。図３において参照符号Ｔｗは、メインポールＰ１の下に位置した選択されたトラックの幅を示す。
【００３３】
本発明者は、前述した本発明の磁気ヘッドの優れた特性を検証するために第１シミュレーションを実施した。
【００３４】
前記第１シミュレーションにおいて、本発明の磁気ヘッドと比較するための対照群として第１及び第２磁気ヘッドを使用した。前記第１及び第２磁気ヘッドは、メインポールの下端の形状が異なることを除いては本発明の磁気ヘッドと同一である。
【００３５】
図５は、前記第１磁気ヘッドに備えられたメインポールＰ１の下端部を示し、図６は、前記第２磁気ヘッドに備えられたメインポールの下端部を示す。
【００３６】
図５及び図６を参照すれば、第１及び第２磁気ヘッドのメインポールの下端部の形状は、本発明の磁気ヘッドのメインポールＰ１の下端部と類似している部分があるが、図５に示した前記第１磁気ヘッドのメインポールの下端部は、本発明の磁気ヘッドの第１及び第２部分Ｈ１、Ｈ２に対応する部分が本発明と決定的に異なる。そして、図６に示した前記第２磁気ヘッドのメインポールの下端部の場合、本発明の磁気ヘッドの第１部分Ｈ１に対応する部分が本発明と同一であるが、本発明の磁気ヘッドの第２部分Ｈ２に対応する部分が本発明と異なる。
【００３７】
図４は、本発明の磁気ヘッドと前記第１及び第２磁気ヘッドに対するシミュレーション結果であって、クロストラック方向(トラックを横断する方向)に磁場のＺ軸方向(図１参照)成分(Ｈｚ）の強度変化を示す。
【００３８】
図４において、第１ないし第３グラフＧ１、Ｇ２、Ｇ３は、それぞれ前記第１磁気ヘッド、第２磁気ヘッド、及び図２に示したメインポールを有する本発明の磁気ヘッドに対する結果を示す。
【００３９】
第１ないし第３グラフＧ１、Ｇ２、Ｇ３を比較すると、図２に示したメインポールを有する本発明の磁気ヘッドのＺ軸方向磁場成分(Ｈｚ）が前記第１及び第２磁気ヘッドのＺ軸方向磁場成分より強度が大きく、狭幅でありながら傾きが激しいということが分かる。
【００４０】
このような結果は、本発明の磁気ヘッドを利用する場合、前記第１及び第２磁気ヘッドを使用するときより記録媒体のトラック幅を狭くすることが可能であり、選択されたトラックにデータを記録する過程で選択されていないトラックに及ぼす影響も最小化できるということを示唆する。
【００４１】
本発明者は、また本発明の磁気ヘッドの優れた特性を立証するために、前記第１磁気ヘッドと、図２に示したメインポールの構造を有する本発明の磁気ヘッドとを対象にした第２シミュレーションを実施した。
【００４２】
前記第２シミュレーションにおいて、前記第１磁気ヘッドのメインポールの下端(図５参照）の幅は１２０ｎｍとした。そして、本発明の磁気ヘッドのメインポールＰ１の下端の幅Ｄは１００ｎｍとした。そして、磁場のＺ軸方向成分(Ｈｚ）は、磁気ヘッドの空気軸受面から下方に２３ｎｍ程度離れた位置で測定した。そして、磁場発生のためにフィールド周波数が６６７ＭＨｚである電流を使用した。また、磁場は１．５ｎｓ間測定した。また、座標軸の方向は、図１に示したものを使用した。
【００４３】
図７ないし図９は、前記第２シミュレーションに対する結果を示した図面である。
【００４４】
図７は、本発明の磁気ヘッド及び前記第１磁気ヘッドでメインポールと記録媒体との間に発生する磁場のＺ軸成分(Ｈｚ）の強度がＸ軸方向に、すなわちトラックに沿ってどのように変化しているかを示す。
【００４５】
図７において、第１グラフＧ１１は、前記第１磁気ヘッドに対する測定結果を、第２グラフＧ２２は、図２のメインポールを有する本発明の磁気ヘッドに対する測定結果を示す。
【００４６】
第１及び第２グラフＧ１１、Ｇ２２を比較すると、本発明の磁気ヘッドの磁場Ｚ軸成分(Ｈｚ）の強度が前記第１磁気ヘッドの強度より大きいということが分かる。特に、第１グラフＧ１１の第１下向ピークＰ１及び第２グラフＧ２２の第２下向ピークＰ２は、後縁(ｔｒａｉｌｉｎｇ  ｅｄｇｅ)の下、すなわちメインポールの下端のリターンポールに近い縁部の下での磁場のＺ軸成分(Ｈｚ）の強度を示す。そして、第１及び第２グラフＧ１１、Ｇ２２の磁場のＺ軸成分(Ｈｚ）の強度が０になる位置Ｐ０は、リターンポールが始まる部分である。
【００４７】
前記後縁での磁場のＺ軸成分(Ｈｚ）の強度とリターンポールが始まる前記位置ＰＯでの磁場のＺ軸成分(Ｈｚ）の強度との差が大きいほどデータ記録時間が短くなり、所定トラックでのデータ記録密度、すなわち線記録密度が高くなる。
【００４８】
したがって、図７の結果は、本発明の磁気ヘッドを利用する場合、前記第１磁気ヘッドを利用する時よりデータ記録時間を減らすことができ、線記録密度を高めることができるということを示唆する。
【００４９】
図８は、本発明の磁気ヘッド及び前記第１磁気ヘッドの前記後縁(Ｘ軸方向に２５０ｎｍ地点)で１．５ｎｓ間Ｙ軸方向に沿って(記録媒体のトラックを横断する方向に)測定した磁場のＺ軸成分(Ｈｚ）の強度変化を示す。
【００５０】
図８において、第１及び第２グラフＧ１Ａ、Ｇ２Ａは、それぞれ前記第１磁気ヘッド及び本発明の磁気ヘッドに対する測定結果を示す。
【００５１】
図８の第１及び第２グラフＧ１Ａ、Ｇ２Ａを比較すると、磁場のＺ軸成分(Ｈｚ）は、前記第１磁気ヘッドより本発明の磁気ヘッドではるかに大きいということが分かるが、数値として表現すれば、本発明の磁気ヘッドの磁場のＺ軸成分(Ｈｚ）の強度は、前記第１磁気ヘッドより２０％以上増加するということが分かる。また、磁場の傾きも選択されたトラックの内側では前記第１磁気ヘッドと本発明の磁気ヘッドとの間にほとんど差がないが、トラックの縁部に行くほど前記第１磁気ヘッドより本発明の磁気ヘッドで磁場の傾きが大きくなることを確認できる。
【００５２】
図１に示した本発明の磁気ヘッドにおいて、メインポールＰ１と記録媒体４４との間に発生するデータ記録用の磁場は、メインポールＰ１を取り囲むコイルＣを流れる電流に起因する。
【００５３】
したがって、図８の結果は、本発明の磁気ヘッドを利用すれば、前記第１磁気ヘッドを利用するときよりデータ記録用の磁場を発生させるのに必要な電流を大きく減らすことができるということを示唆する。また、本シミュレーションで本発明の磁気ヘッドのＹ軸方向の幅(トラックを横断する方向の幅）が１００ｎｍ程度であって、前記第１磁気ヘッドの幅(１２０ｎｍ)より狭いということを考慮すれば、本発明の磁気ヘッドを利用する場合、前記第１磁気ヘッドを利用する時より記録媒体のトラック密度を高めうるということが分かる。例えば、前記第１磁気ヘッドがトラック密度が１８０ｋ  ＴＰＩ（Tracks Per Inch）である記録媒体のためのものであれば、本発明の磁気ヘッドは、この記録媒体よりトラック密度が１５％以上高い記録媒体に使用できる。
【００５４】
図９は、メインポールと記録媒体との間の一地点(−２３０ｎｍ、０、−２３ｎｍ)で測定した経時的な磁場のＺ軸成分(Ｈｚ）の変化を示す。
【００５５】
図９において、第１グラフＧ１Ｂは、前記第１磁気ヘッドに対する結果を示し、第２グラフＧ２Ｂは、本発明の磁気ヘッドに対する結果を示す。
【００５６】
図９の第１及び第２グラフＧ１Ｂ、Ｇ２Ｂを比較すると、一地点での経時的な磁場の強度も前記第１磁気ヘッドより本発明の磁気ヘッドで大きいということが分かる。
【００５７】
次に、本発明者は、図３に示したようにメインポールＰ１の両側に磁気遮蔽手段５０Ａ、５０Ｂを有する本発明の磁気ヘッドと前記第１磁気ヘッドとを対象として第３シミュレーションを実施した。
【００５８】
図１０及び図１１は、前記第３シミュレーションに対する結果を示す。
【００５９】
図１０は、本発明の磁気ヘッド及び前記第１磁気ヘッドでメインポールと記録媒体との間に発生する磁場のＺ軸成分(Ｈｚ）の強度がＸ軸方向にどのように変化しているかを示す。
【００６０】
図１０において、第１グラフＧ３１は、前記第１磁気ヘッドに対する前記第３シミュレーション結果を示し、第２ないし第４グラフＧ３２、Ｇ３３、Ｇ３４は、本発明の磁気ヘッドに対する前記第３シミュレーション結果を示す。なお、第２グラフＧ３２は、本発明の磁気ヘッドでメインポールＰ１の下端の幅Ｄが１００ｎｍであり、メインポールＰ１の両側にそれぞれ一つの磁気遮蔽層を備える時の結果を示し、第３グラフＧ３３は、本発明の磁気ヘッドでメインポールＰ１の下端幅Ｄが９０ｎｍであり、メインポールＰ１の両側にそれぞれ一つの磁気遮蔽層を備える時の結果を示し、第４グラフＧ３４は、本発明の磁気ヘッドでメインポールＰ１の下端幅Ｄが９０ｎｍであり、メインポールＰ１の両側にそれぞれ二つの磁気遮蔽層を備える時の結果を示す。また、図１０において、第１位置Ｘ１はメインポールの後縁に該当し、第２位置Ｘ２はリターンポールが始まる位置に該当する。
【００６１】
図１０において第１ないし第４グラフＧ３１ないしＧ３４を比較すると、第１位置Ｘ１と第２位置Ｘ２での磁場のＺ軸成分(Ｈｚ）の強度差(以下、磁場強度差）は、第１グラフＧ３１より第２ないし第３グラフＧ３２ないしＧ３４で大きいということが分かる。
【００６２】
また、図１０において、第２ないし第４グラフＧ３２ないしＧ３４を比較すると、前記磁場強度差は、第２グラフより第３及び第４グラフＧ３３、Ｇ３４で大きいということが分かる。
【００６３】
また、第３及び第４グラフＧ３３、Ｇ３４で前記磁場強度差は、ほぼ同じであるということが分かる。
【００６４】
図１０の結果は、前記第１磁気ヘッドより本発明の磁気ヘッドで前記磁場強度差が大きく、本発明の磁気ヘッドの中でもメインポールＰ１の下端の幅Ｄが狭いほど前記磁場強度差が大きいということを意味する。また、メインポールＰ１の両側に磁気遮蔽層が備えられている点が重要であり、磁気遮蔽層の数は、前記磁場強度差と関係がほとんどないということを意味する。
【００６５】
図１１は、本発明の磁気ヘッド及び前記第１磁気ヘッドの前記後縁でＹ軸方向に沿って(記録媒体のトラックを横断する方向に)測定した磁場のＺ軸成分の強度変化を示す。図１１において、前記磁場のＺ軸成分の強度は、本発明の磁気ヘッドのエアーベアリング面から下方１６ｎｍの位置で測定した。
【００６６】
図１１において、第１グラフＧ４１は、前記第１磁気ヘッドに対するシミュレーション結果であり、第２ないし第４グラフＧ４２ないしＧ４４は、本発明の磁気ヘッドに対するシミュレーション結果である。
【００６７】
図１１の第１ないし第４グラフＧ４１ないしＧ４４を比較すると、磁場のＺ軸成分の強度及び磁場の傾きは、第１グラフＧ４１より第２ないし第４グラフＧ４２ないしＧ４４で大きいということが分かる。
【００６８】
また、図１１において、第２ないし第４グラフＧ４２ないしＧ４４を比較すると、第２グラフＧ４２より第３及び第４グラフＧ４３、Ｇ４４で磁場のＺ軸成分の強度が大きいということが分かる。しかし、第３及び第４グラフＧ４３、Ｇ４４での磁場のＺ軸成分の強度は、差がほとんどないということが分かる。
【００６９】
一方、図１１の第２ないし第４グラフＧ４２ないしＧ４４に、磁場のＺ軸成分の強度が０より大きい、すなわち磁場のＺ軸成分がＺ軸の正(＋）の方向に向かう区間Ａ２が存在する。このような区間Ａ２は、メインポールＰ１と磁気遮蔽手段５０Ａ、５０Ｂとの間のギャップＧを調節して減らすかまたは除去できる。
【００７０】
図１１の結果は、本発明の磁気ヘッドのメインポールの両側に、図３に示したように磁気遮蔽手段５０Ａ、５０Ｂを備える場合にも、前記第１磁気ヘッドより磁場の強度及び傾きが大きいということを意味し、本発明の磁気ヘッドを利用する場合、前記第１磁気ヘッドを利用するときよりデータ記録に必要な電流を減らすことができ、トラック密度も高めることができるということを示唆する。
【００７１】
前記した説明で多くの事項が具体的に記載されているが、それらは、発明の範囲を限定するものというより、望ましい実施形態の例示として解釈されねばならない。例えば、当業者であれば、本発明の磁気ヘッドにおける磁気遮蔽手段、例えば磁気遮蔽層をメインポールＰ１を取り囲む形態で備えることもできる。また、図２に図示したメインポールＰ１の下端の第１部分Ｈ１の側面を曲面でなく、図５に示したように平面に備えることもできる。また、本発明のメインポールＰ１を他の構造の磁気ヘッドに適用することもできる。したがって、本発明の範囲は、説明された実施形態によって決まるものではなく、特許請求の範囲に記載された技術的思想により決定されなければならない。
【産業上の利用可能性】
【００７２】
本発明は、垂直磁気記録媒体を備えるあらゆる装置、例えばハードディスクに使うことができる。
【図面の簡単な説明】
【００７３】
【図１】本発明の実施形態による垂直磁気記録ヘッドの断面図である。
【図２】図１に示した第１領域Ａ１を垂直磁気記録ヘッドの進行方向に見た拡大図である。
【図３】図１に示した垂直磁気記録ヘッドのメインポールの両側に磁気遮蔽手段が備えられた場合を示した正面図である。
【図４】図２に示したメインポールを有する本発明の磁気記録ヘッドに対する第１シミュレーション結果を示したグラフである。
【図５】図４示したシミュレーション結果を得るために、対照群として使われた磁気記録ヘッドに適用されたメインポールの正面図である。
【図６】図４示したシミュレーション結果を得るために、対照群として使われた磁気記録ヘッドに適用されたメインポールの正面図である。
【図７】図２に示したメインポールを有する本発明の磁気記録ヘッドに対する第２シミュレーション結果を示したグラフである。
【図８】図２に示したメインポールを有する本発明の磁気記録ヘッドに対する第２シミュレーション結果を示したグラフである。
【図９】図２に示したメインポールを有する本発明の磁気記録ヘッドに対する第２シミュレーション結果を示したグラフである。
【図１０】メインポールの両側に磁気遮蔽手段が備えられた本発明の実施形態による磁気記録ヘッドに対する第３シミュレーション結果を示したグラフである。
【図１１】メインポールの両側に磁気遮蔽手段が備えられた本発明の実施形態による磁気記録ヘッドに対する第３シミュレーション結果を示したグラフである。
【符号の説明】
【００７４】
４０  補助用ポール
４２  読み取り用のデバイス
４４  垂直磁気記録媒体
５０  相互連結層
５０Ａ、５０Ｂ  第１及び第２磁気遮蔽手段
１００  記録部
２００  再生部
Ａ１  メインポールの第１領域
Ｄ  メインポールの下端部における第２部分の下端の幅
Ｇ  メインポールの第２部分の下端と磁気遮蔽手段との間のギャップ
Ｈ１、Ｈ２  メインポールの下端部の第１及び第２部分
Ｐ０  磁場のＺ軸成分の強度が０である位置
Ｐ１  メインポール
Ｐ２  リターンポール
【図１】
2006309927.tif 000003
【図２】
2006309927.tif 000004
【図３】
2006309927.tif 000005
【図４】
2006309927.tif 000006
【図５】
2006309927.tif 000007
【図６】
2006309927.tif 000008
【図７】
2006309927.tif 000009
【図８】
2006309927.tif 000010
【図９】
2006309927.tif 000011
【図１０】
2006309927.tif 000012
【図１１】
2006309927.tif 000013